(57)【要約】【課題】  家族や介護者に繋がっていることの確認が使用者によって直接できて使用者本人を安心させ、非常時の呼び出し操作が病人でも簡単にでき、呼び出したい人のみを確実に呼び出すことが可能な簡潔な構造の非常呼出装置を提供する。【解決手段】  呼び出し信号を出力する音響装置１１とランプ１２を備えた人の感覚を刺激する各呼出端末３と、電流を前記呼出端末３に流して出力させるための押圧操作のみでは復元されない手元スイッチ２とを、電源プラグ１に電源側の電気コード４ａを介して直列接続する。そして前記手元スイッチ２に隣接させて設けた通電確認ランプ９を前記電気コード４ａに前記呼出端末３と並列接続させて設け、前記手元スイッチ２による通電で出力された呼び出し信号を前記手元スイッチ２を押すことでは停止できないようにして、来て欲しい人を確実に呼び出せるようにする。【選択図】    図１
0003124100.tif 000002
【実用新案登録請求の範囲】
【請求項１】
呼び出し信号を出力する音響装置、ランプ、バイブレーターのうち少なくともいずれか一つを備えた人の感覚を刺激する呼出端末と押圧操作のみでは復元されない押しボタン式の手元スイッチとを電気コードを介して電源プラグに直列接続し、前記手元スイッチに隣接させて設けた通電確認ランプと前記呼出端末とを電気コードを介して前記電源プラグに並列接続させて成り、前記手元スイッチを押して通電出力された呼出端末からの呼び出し信号が手元スイッチを押すことでは停止できないようにしたことを特徴とする非常呼出装置。
【請求項２】
手元スイッチに器具によってのみ再操作が可能なリセット機構を設けたことを特徴とする請求項１に記載の非常呼出装置。
【請求項３】
電源の回路を切断する電源切断用スイッチを電源側の電気コードに手元スイッチと直列接続させて設けたことを特徴とする請求項１又は２に記載の非常呼出装置。
【請求項４】
手元スイッチに隣接させて、器具によってのみ操作が可能な器具操作スイッチを電源側の電気コードに手元スイッチと直列接続させて設けたことを特徴とする請求項１から３のうちいずれかに記載の非常呼出装置。
【請求項５】
複数の並列接続した分岐コンセントを備えた分岐器を電源側の電気コードを介して前記電源プラグに呼出端末と直列接続させて設けたことを特徴とする請求項１から４のうちいずれかに記載の非常呼出装置。
【請求項６】
複数の手元スイッチをそれぞれ別室内に届く長さの電気コードを介して並列接続させて設けたことを特徴とする請求項１から５のうちいずれかに記載の非常呼出装置。
【請求項７】
電源側の電気コードに停電時に自動的に作動する停電自動作動制御部を備えた非常用バッテリーを接続したことを特徴とする請求項１から６のうちいずれかに記載の非常呼出装置。
【考案の詳細な説明】
【技術分野】
【０００１】
本考案は、家族などの同居者間で使用する家庭用の非常呼出装置に関する。
【背景技術】
【０００２】
家族に動くことが困難な病人が居る場合、病人が非常時に助けを呼びたいときに、別室にいる家族や介護者に大声を上げて呼ぶ方法もあるが、深夜の場合には近所まで声が聞こえて迷惑となったり、その家のプライバシーが漏れる心配がある。
また、別階や離れた家屋に家族や介護者が居る場合には叫んでも声が届かない場合もある。
特に、深夜に呼びたいときには家族や介護者は眠ってしまっているので声で呼んでも容易には非常事態であることを伝えられない問題があった。
他方、防犯分野では犯罪が発生していることを犯人に知られずに周囲に知らせるために特許文献１にあるようなリモコン防犯非常ベル・ランプが提案されている。
【特許文献１】登録実用新案第３０７１１３９号公報
【考案の開示】
【考案が解決しようとする課題】
【０００３】
上記特許文献１のリモコン防犯非常ベル・ランプは、犯行による非常事態ではあるが、事件を周囲に知らせ、人を呼ぶことができる点では共通しているが、リモコンによる無線での通信で非常ベルやランプを作動させる仕組みとなっているので、使用するリモコンが実際に非常ベル・ランプと接続しているのか使用者には目で見て確認することができない。このため正常に繋がっていないのではないかとの疑念から使用者に不安を感じさせることがある。
さらにリモコンの操作では複雑になりがちで病人では使用困難となる場合があり、また一旦スイッチを入れて呼び出ししても人が駆けつける前に操作を誤って切ってしまうと呼び出し信号が切れるので問題がなくなったと思って駆け着けるのを止めてしまう虞がある。
なお、このような無線通信装置を有する装置では、装置全体が複雑で高価なのものとなる難点もある。
そこで、本考案は非常時の呼び出し操作が身体の不自由な病人でもワンタッチで極めて簡単に使用でき、また確実に家族や介護者に繋がっていることの確認が使用者によってでき、さらに呼び出し途中で間違って切られてしなう虞もなく、呼び出しが確実に行えることで使用者本人が安心して使用できる非常呼出装置を提供することを目的とする。
【課題を解決するための手段】
【０００４】
上記課題を解決するための本考案の非常呼出装置は、呼び出し信号を出力する音響装置、ランプ、バイブレーターのうち少なくともいずれか一つを備えた人の感覚を刺激する呼出端末と押圧操作のみでは復元されない押しボタン式の手元スイッチとを電気コードを介して電源プラグに直列接続し、前記手元スイッチに隣接させて設けた通電確認ランプと前記呼出端末とを電気コードを介して前記電源プラグに並列接続させた構成であり、前記手元スイッチを押して通電出力された呼出端末からの呼び出し信号が手元スイッチを押すことでは停止できないことを特徴とする。
【０００５】
請求項２に記載の考案は、上記考案において、前記手元スイッチに器具によってのみ再操作が可能なリセット機構を設けたしたことを特徴とする。
【０００６】
請求項３に記載の考案は、上記考案において、前記電源の回路を切断する電源切断用スイッチを前記電気コードに手元スイッチと直列接続させて設けたことを特徴とする。
【０００７】
請求項４に記載の考案は、上記考案において、前記手元スイッチに隣接させて、器具によってのみオン・オフの操作が可能な器具操作スイッチを前記電気コードに手元スイッチと直列接続させて設けたことを特徴とする。
【０００８】
請求項５に記載の考案は、上記考案において、前記複数の前記呼出端末のうち少なくともいずれか一つを選択可能とするための複数の並列接続した分岐コンセントを備えた分岐器を電気コードを介して前記電源プラグに前記呼出端末と直列接続させて設けたことを特徴とする。
【０００９】
請求項６に記載の考案は、上記考案において、前記複数の手元スイッチをそれぞれ別室内に届く長さの電気コードにより複数を並列接続させて設けたことを特徴とする。
【００１０】
請求項７に記載の考案は、上記考案において、前記電気コードに停電時に自動的に作動する停電自動作動制御部を備えた非常用バッテリーを接続したことを特徴とする。
【考案の効果】
【００１１】
本考案は、通電確認ランプの点灯によって手元スイッチが電源に接続されていることを本人が直接に常時確認できるので、プラグがコンセントから外されて繋がっていないのではないかとの疑念が解消され、安心できる。
そして、助けを必要とする非常時には、手元スイッチを押して電源に呼出端末を接続させ、その呼出端末から呼び出し信号を出力することができるが、その際、押圧操作のみでは復元されない手元スイッチを用いているので、再度誤って手元スイッチを押してしまっても前記手元スイッチからでは通電状態を解除することができない。
即ち、呼び出された人が強制的に電源を切らなければ信号は停止しないので確実に呼び出すことが可能となる。
【００１２】
そして呼び出しができた後に、電源を切断する場合は、前記手元スイッチの押圧操作のみでは復元されないようになっているので、その手元スイッチがある室内ではリセットすることができず、他人が意図的に信号を停止することはできない。このため、来て欲しいリセットの方法を知っている人のみを確実に呼び出すことが可能となる。
【００１３】
その際の手元スイッチのリセットは、請求項２に記載の考案のように、手元スイッチが器具によってのみ再操作が可能なリセット機構を備えれば、手元スイッチがある室内にその専用器具がない限り電源を切ることができなくなる。したがって、その室内では電流を切る方法を知らない他人が意図的に信号を停止することはできず、リセット機構の再操作方法を知っている来て欲しい人のみを確実に呼び出すことが可能となる。
このことは、即ち犯罪者や介護能力のない他人など来て欲しくない人ではなく、介護能力のある来て欲しい人のみを選んでその人を確実に呼び出すことができることとなるので、使用者はより安心していられる。
【００１４】
この点は、請求項３に記載の考案でも、電源の回路を切断する電源切断用スイッチを器具操作スイッチが手元スイッチと電気的に直列接続させているので、その電源切断用スイッチを来て欲しい人の部屋に置けば、その部屋に居る人を確実に呼び出すことができる。
また、請求項４に記載の考案は、器具によってのみオン・オフの操作が可能な器具操作スイッチを前記電気コードに手元スイッチと直列接続させて前記手元スイッチに隣接させて設けたものなので、呼び出された人が、専用器具持って前記手元スイッチのある部屋に入ってからでないと切れないので、呼び出したい人を使用者の部屋に確実に呼び込むことが可能となる。
【００１５】
また、請求項５に記載の考案では、分岐器に呼出端末を接続することで、音を出すこが好ましくない場合にはランプ又はバイブレーターを、睡眠中では目を閉じているのでバイブレーターを使用するなど、使用状況に合わせて前記呼出端末を自由に選んで簡単に取り付け使用することが可能となる。
さらに、請求項６に記載の考案では、複数の病人がいる場合に電源コードを伸ばして各室に前記手元スイッチを配置することで各人が呼び出しできるようになる。
さらにまた、非常事態は何時起こるかわからず、請求項７に記載の考案では、落雷で停電した時や、室内に侵入した犯罪者が故意に電源プラグを抜いたり、その住宅のブレーカーを落とした時においても、正常に使用できるので安心できる。
【考案を実施するための最良の形態】
【００１６】
本考案の実施の形態を示す図に基づいて以下説明する。
本考案の非常呼出装置は、図４に示すように、人の感覚を刺激する呼出端末３と、電流を前記呼出端末３に流して出力させるための押圧操作のみでは復元されない押しボタン式の手元スイッチ２とが家庭用電源のコンセント５に接続させるための電源プラグ１に電源側の電気コード４ａを介して電気的に直列接続するように電気コード４で繋げる。
前記手元スイッチ２と音響装置１１及びランプ１２とは  図２に示すように、長い電気コード４で別室に分けて設置する。
【００１７】
また、図１に示すように、複数の並列接続した分岐コンセント１６を備えた分岐器６を電源用の電気コード４ａを介して、図４に示すように、前記電源プラグ１に前記呼出端末３と電気的に直列接続させる。
前記複数の呼出端末３は各電気コード４ｃの端末のプラグ１３で分岐器６の各分岐コンセント１６に差し込まれて電気的に並列接続に繋がって、前記手元スイッチ２をオンにすると音響装置１１とランプ１２とバイブレーター１５などの呼出端末３から人の感覚を刺激する多様な呼び出し信号が出力一斉に出力可能となる。
【００１８】
例えば、図７及び図８に示すように、音響装置１１とランプ１２とバイブレーター１５を同時に使用することも可能であるが、音を出すことが好ましくない場合にはランプを、睡眠中では目を閉じているのでバイブレーターのみを分岐コンセント１６に接続させて使用するなど使用状況に合わせてそれらの内の一だけを選択して使用することもできる。
【００１９】
例えば音響装置１１では、音によって耳から知らせるもので、例えばベルやスピーカーの使用が可能である。いずれも機械的に音を発するベルでも呼び出すことができるが、人の声を発するように録音又は記憶装置と再生装置とを備えたスピーカーを用いれば急に再生した歌や音声が出力され驚かすことなく知らせることができる。
また、ランプ１２は目から視覚的に知らせるものなので、点滅式のランプや赤ランプなどにより注意を引き付けられるようにすることもできる。ランプ１２では音が出ないので見た人のみに限定して知らせることができる。
さらに、呼び出す人を限定したい場合にはバイブレーター１５を介護者に持たせて使用すると良い。バイブレーター１５は振動によって皮膚から触感的に知らせるものあり円盤や棒体が振動するようにモーターや電磁石を用いたものなどが使用できる。これを携帯した人のみを他人に知られずに呼び出すことができる。
【００２０】
また、図１、図２及び図４に示すように、前記手元スイッチ２には隣接させて通電確認ランプ９を前記電源側の電気コード４ａに前記呼出端末３と並列接続させて付設する。
この通電確認ランプ９によって、家庭用電源のコンセント５に電源プラグ１を差し込んでおけば前記手元スイッチ２は接続していなくとも前記通電確認ランプ９は点灯し続け、また電源プラグ１が引き抜かれれば、通電確認ランプ９は点灯しなくなるので前記手元スイッチ２のセットが間違いなくできていることを使用者本人が目で見て直接確認することが可能となる。
【００２１】
前記手元スイッチ２は、押圧操作のみでは復元されない手元スイッチ２であり、電流を前記呼出端末３に流して出力させるためのもので一般的なスイッチのオン・オフ機能ではなく、オンは簡単にできるが、本考案の装置ではオフは押圧操作によって切ることができないようにする。
この押圧操作のみでは復元されない手元スイッチ２については、例えば、復元バネのない押しボタンや、枢支部の両側を交互におしてオン・オフする交互のスイッチのオフ側をカバーで覆うか切除して押せないようにした構造のスイッチが使用できる。
このような構造のスイッチでも針や釘などでボタン部分を引っ掛けて無理に復元する方法があるが、図８に示すように、キーなどのリセット器具１９によってのみ再操作が可能なリセット機構１８を設けることでリセット器具１９の操作でオンは簡単にできるがオフは容易にはできないようにすることができる。
こうすることで、前記手元スイッチ２を押して呼び出し信号を出力したときに誤ってスイッチをオフにして呼び出し信号を停止することはできなくなる。
また、本当に呼びたい人が来ていないときに来て欲しくない人が勝手にスイッチをオフにしてしまうことを防ぐことが可能となる。
【００２２】
また、図４に示すように、前記電源側の電気コード４ａに手元スイッチ２と直列接続させて設けた前記電源の回路を切断する電源切断用スイッチ７は、他の室内にいる他人でなければ電流を切ることができないので、本人が誤ってスイッチをオフにして呼び出し信号を停止してしまうことはなくなる。
このため、図３及び図４に示すように、各室Ａ、Ｂ、Ｃ、Ｄにそれぞれ前記手元スイッチ２と音響装置１１とランプ１２と前記分岐器６及び電源切断用スイッチ７とを別室に別々に分けて設置すると良い。
前記電源切断用スイッチ７は復元機能を備えた通常提供されているオン・オフ型のスイッチ７が使用できる。
なお、図４中の符号４ａ、４ｂ、４ｃ、４ｄ、４ｅは各部を繋ぐ電気コードである。
【００２３】
さらに、図６の（ニ）に示すように、前記手元スイッチ２に隣接させて、キーなどのスイッチ器具１７によってのみオン・オフの操作が可能な器具操作スイッチ１０を前記電源用の電気コード４ａに手元スイッチ２と直列接続させて設ければ、通常その場に置いてない器具を用いることで誤ってスイッチをオフにして呼び出し信号を停止することが完全に防止できる。
この電源の切断は、前記手元スイッチ２が前記スイッチ器具１７によってのみ再操作が可能になっているので、その場に専用のスイッチ器具１７がない限り電源を切ることができない。このため、その室内ではそのスイッチ器具１７を持たない他人が意図的に信号を停止することはできないので、来て欲しい人のみを確実に呼び出すことが可能となる。
このことは、来て欲しくない人、即ち犯罪者や介護能力のない他人など、来て欲しい人を区別して介護能力のある人のみを選んで確実に呼び出すことができることなのでより安心できる。
【００２４】
そして、図９に示すように、前記複数の手元スイッチ２、２をそれぞれ別室Ａ1、Ａ2内に届く長さの手元用の電気コード４ｂにより複数を並列接続させて設ける。
複数の病人がいる場合、前記手元スイッチ２、２をそれぞれ別室Ａ1、Ａ2内に届く長さの電源コード４ｂにより各室に置くことで対応できるようになる。
この図9では、Ａ1、Ａ2、Ｂ、Ｃ、Ｄは各室を示し、前記手元スイッチ２、２と音響装置１１とランプ１２と前記分岐器６及び電源切断用スイッチ７とをＡ1、Ａ2、Ｃ、Ｄ、Ｂの各室内に分けて設置した状態を示している。
【００２５】
また、図８に示すように、前記電源側の電気コード４ａに停電時の自動的に作動する停電作動制御部を備えた非常用バッテリー２０を接続することも可能であり、この非常用バッテリー２０によって、落雷で停電した時や、室内に侵入した犯罪者が故意に電源プラグを抜いたり、その住宅のブレーカーを落とした時においても、正常に作動させることが可能となるので安心である。
【００２６】
本考案の使用方法を次に説明する。
先ず、セットされている正常時では、図５の（イ）に示すように、前記手元スイッチ２と同じ筐体に設けた通電確認ランプ９が前記電源側の電気コード４ａに前記呼出端末３と並列接続による繋がっているので、電源プラグ１を電源１４に差し込んでおけばランプの点灯状態が継続される。使用者は点灯していることを見て安心する。
次に、非常時の呼び出しをするときは、図５の（ロ）に示すように、手元スイッチ２の押しボタンを押し、別部屋に配置した呼出端末３の音響装置１１とランプ１２とバイブレーター１５に電源プラグ１から直列接続状態で電源１４が流れて、別部屋の人に警報やランプ点滅やバイブ振動などの呼び出し信号が出力される。
【００２７】
前記呼び出し信号の出力の停止は手元スイッチ２では押圧操作のみでは復元されない押しボタンを再度押しても切ることはできない。
このため、呼び出された人が呼び出された後に前記呼び出し信号の出力が呼び出された人によって停止させることになる。
呼び出された人は、電源コンセント５から電源プラグ１を引き抜けば電流は途切れて、呼び出し信号の出力は停止するが、そうしない場合には、別の部屋の電源切断用スイッチ７を切るか（図６の（ハ）に示す）又は専用スイッチ器具１７で器具操作スイッチ１０を切って（図６の（ニ）に示す）呼び出し信号を停止させる。
その後、再度使用するときには、切られた各スイッチは接続状態にセットし、手元スイッチ２のみはオフ状態にリセットして置く。この手元スイッチ２はリセット機構を備えたものではそのリセットセット機構でオフ状態にリセットすることができるが、ないものでは、専用器具や工具などを用いて押しボタンを引き上げて行う。
【産業上の利用可能性】
【００２８】
本発明は家庭用以外の事務所や倉庫などの室内に使用することも可能である。
【図面の簡単な説明】
【００２９】
【図１】本考案の使用状態を示す斜視図である。
【図２】別の形態の使用状態を示す斜視図である。
【図３】使用状態を示す室内配置図である。
【図４】使用状態を示す室内配置したときの模式的回路図である。
【図５】（イ）が正常時の、（ロ）が非常時の呼び出しをしている状態を示す各模式的回路図である。
【図６】（ハ）が呼び出し信号を停止させた時の、（ニ）が別の形態の非常時の呼び出しをしている状態を示す各模式的回路図である。
【図７】別の形態の模式的回路図である。
【図８】また別の形態の模式的回路図である。
【図９】さらに別の形態の使用状態を示す室内配置したときの模式的回路図である。
【符号の説明】
【００３０】
１    電源プラグ
２    手元スイッチ
３    呼出端末
４ａ  電源側の電気コード
４ｂ  手元スイッチ側の電気コード
４ｃ  呼出端末側の電気コード
４ｄ  電源切断用スイッチの電気コード
４ｅ  通電確認ランプの電気コード
５    家庭用電源コンセント
６    分岐器
７    電源切断用スイッチ
８    スイッチ
９    通電確認ランプ
１０    器具操作スイッチ
１１    音響装置
１２    ランプ
１３    プラグ
１４    電源
１５    バイブレーター
１６    分岐コンセント
１７    スイッチ器具
１８    リセット機構
１９    リセット器具
２０    非常用バッテリー
【図１】
0003124100.tif 000003
【図２】
0003124100.tif 000004
【図３】
0003124100.tif 000005
【図４】
0003124100.tif 000006
【図５】
0003124100.tif 000007
【図６】
0003124100.tif 000008
【図７】
0003124100.tif 000009
【図８】
0003124100.tif 000010
【図９】
0003124100.tif 000011